(57)【要約】【課題】メッキ用回転バレルのリード線支持部でのワークの噛み込みを防止する。【解決手段】  この発明は、ワークを収容するバレル１の端部と該バレル１を支持する支持フレーム４との間に中空の軸支部７を設けて上記バレル１を回転駆動可能に支持し、バレル１内の電極９に通電するリード線１１を上記軸支部７の中空部内に回転規制状態で挿通し、バレル１と共に回転し軸支部７のバレル１側内部に露出するリード線支持部２２の内周とリード線１１の被覆層２８の外周との間にリード線１１側に固定される固定ブッシュ２１を位置決めして嵌合したリード線支持構造の改良に関する。具体的には、上記リード線支持部２２と固定ブッシュ２１とが接触し合ってバレル１内に露出する端面の境界部２０を覆うリング状の鍔部２１ｃを固定ブッシュ２１の外周に突出させて設けている。【選択図】図２
2015183272.tif 000002
【特許請求の範囲】
【請求項１】
ワークを収容するバレル（１）の端部と該バレル（１）を支持する支持フレーム（４）との間に中空の軸支部（７）を設けて上記バレル（１）を回転駆動可能に支持し、バレル（１）内の電極（９）に通電するリード線（１１）を上記軸支部（７）の中空部内に回転規制状態で挿通し、バレル（１）と共に回転し軸支部（７）のバレル（１）側内部に露出するリード線支持部（２２）の内周とリード線（１１）の被覆層（２８）の外周との間にリード線（１１）側に固定される固定ブッシュ（２１）を位置決めして嵌合したリード線支持構造において、上記リード線支持部（２２）と固定ブッシュ（２１）とが接触し合ってバレル（１）内に露出する端面の境界部（２０）を覆うリング状の鍔部（２１ｃ）を固定ブッシュ（２１）の外周に突出させて設けたメッキ用回転バレルのリード線支持構造。
【請求項２】
軸支部（７）がフレーム（４）側に取付けられる固定軸（１４）と、該固定軸（１４）に回転自在に嵌合され、バレル（１）と共に回転しバレル（１）内の端部の中空部（８）にリード線支持部（２２）を設けた回転軸（１７）とを備えた請求項１に記載のメッキ用回転バレルのリード線支持構造。
【請求項３】
リード線支持部（２２）に、回転軸（１７）のバレル（１）内の端部の中空部（８）内に位置決め状態で嵌合されると共にリード線（１１）の被覆層（２８）に固定的に嵌合される固定ブッシュ（２１）を設けた請求項２に記載のメッキ用回転バレルのリード線支持構造。
【請求項４】
被覆層（２８）を弾力性を備えた材質とし、固定ブッシュ（２１）を被覆層（２８）の外周に弾力的に且つ密着させて嵌合した請求項３に記載のメッキ用回転バレルのリード線支持構造。
【請求項５】
回転ブッシュ（１９）の材質を固定ブッシュ（２１）の材質より低摩擦の材質とした請求項３又は４に記載のメッキ用回転バレルのリード線支持構造。
【請求項６】
固定ブッシュ（２１）の周面にリード線支持部（２２）に対して鍔部（２１ｃ）と共に軸方向の移動を規制して固定ブッシュ（２１）の位置決めを行う係合部（２１ｂ）を設けてなる請求項１〜５のいずれかに記載のメッキ用回転バレルのリード線支持構造。
【請求項７】
係合部（２１ｂ）が固定ブッシュ（２１）の鍔部（２１ｃ）の反対側の端部の外周側に突出してリード線支持部（２２）の内部側の端面に係合する突起である請求項６に記載のメッキ用回転バレルのリード線支持構造。
【請求項８】
固定ブッシュ（２１）の鍔部（２１ｃ）とは反対側の周壁に端部が開放される軸心方向のスリット（２１ａ）を形成し、固定ブッシュ（２１）の鍔部（２１ｃ）側の外径を中心方向に弾力的に縮小可能に構成した請求項１〜７のいずれかに記載のメッキ用回転バレルのリード線支持構造。
【発明の詳細な説明】
【技術分野】
【０００１】
この発明は例えば０．２〜１ｍｍサイズに形成された微小サイズの電子部品等のメッキ対象物（ワーク）にメッキ加工を施す際に使用されるメッキ用回転バレルのリード線支持構造に関する。
【背景技術】
【０００２】
従来上記のような微小サイズのワークのメッキには、例えば特許文献１の図１，図２に示されるような回転バレル式のメッキ装置が知られている。上記装置ではメッキ液中でワークを収容した状態で、回転バレル内にカソード電極用のリード線をバレルの支持軸内に回転規制状態で挿通してカソード電極を支持している。
そしてバレルと共にバレル内でリード線を支えながらリード線まわりを回転し且つバレル内に露出するリード線支持部には、リード線支持部の回転側とリード線の固定側との境界部や摩耗やワークとの接触による損耗等によって増大する隙間にワークが入り込んだり挟み込まれたりする欠点を防止するための回転ブッシュ（ブッシュ３２）と固定ブッシュ（カラー１２）が回転側（ボス状部材３１１）とリード線１０側との間に相互に嵌合され、固定ブッシュと回転ブッシュとが回転自在に嵌合しており、固定ブッシュ１２は交換可能に構成されている。
【先行技術文献】
【特許文献】
【０００３】
【特許文献１】特開２００５−２３３６１号公報
【発明の概要】
【発明が解決しようとする課題】
【０００４】
上記特許文献１のリード線支持部に固定ブッシュと回転ブッシュを介在させたものは、両ブッシュの加工寸法の管理が容易で固定ブッシュが摩耗した場合に取換え交換が可能な点でこれらを備えていないものに比して優れている。
【０００５】
しかし、固定ブッシュと回転ブッシュ間のクリアランス（嵌め合い公差）はワークの挟み込み防止のために、支持軸４とボス状部材３１１間のクリアランスより小さく且つ可能な限り小さくする必要があり、バレルの荷重がかかり易く磨耗も激しいという欠点がある。特に固定ブッシュが長時間使用によって摩耗した時は従前のように微小ワークが挟み込まれたり、ワークの接触により両ブッシュの境界部の隙間がさらに増大する欠点があるほか、境界部の隙間を小さくするための嵌め合い公差の加工管理に厳密さを要し、交換頻度も多くなるという問題がある。
【課題を解決するための手段】
【０００６】
上記のような問題点を解消するための本発明は第１に、ワークを収容するバレル１の端部と該バレル１を支持する支持フレーム４との間に中空の軸支部７を設けて上記バレル１を回転駆動可能に支持し、バレル１内の電極９に通電するリード線１１を上記軸支部７の中空部内に回転規制状態で挿通し、バレル１と共に回転し軸支部７のバレル１側内部に露出するリード線支持部２２の内周とリード線１１の被覆層２８の外周との間にリード線１１側に固定される固定ブッシュ２１を位置決めして嵌合したリード線支持構造において、上記リード線支持部２２と固定ブッシュ２１とが接触し合ってバレル１内に露出する端面の境界部２０を覆うリング状の鍔部２１ｃを固定ブッシュ２１の外周に突出させて設けた
ことを特徴としている。
【０００７】
第２に、軸支部７がフレーム４側に取付けられる固定軸１４と、該固定軸１４に回転自在に嵌合され、バレル１と共に回転しバレル１内の端部の中空部８にリード線支持部２２を設けた回転軸１７とを備えたことを特徴としている。
【０００８】
第３に、リード線支持部２２に、回転軸１７のバレル１内の端部の中空部８内に位置決め状態で嵌合されると共にリード線１１の被覆層２８に固定的に嵌合される固定ブッシュ２１を設けたことを特徴としている。
【０００９】
第４に、被覆層（２８）を弾力性を備えた材質とし、固定ブッシュ（２１）を被覆層（２８）の外周に弾力的に且つ密着させて嵌合したことを特徴としている。
【００１０】
第５に、回転ブッシュ１９の材質を固定ブッシュ２１の材質より低摩擦の材質としたことを特徴としている。
【００１１】
第６に、固定ブッシュ２１の周面にリード線支持部２２に対して鍔部２１ｃと共に軸方向の移動を規制して固定ブッシュ２１の位置決めを行う係合部２１ｂを設けてなることを特徴としている。
【００１２】
第７に、係合部２１ｂが固定ブッシュ２１の鍔部２１ｃの反対側の端部の外周側に突出してリード線支持部２２の内部側の端面に係合する突起であることを特徴としている。
【００１３】
第８に、固定ブッシュ２１の鍔部２１ｃとは反対側の周壁に端部が開放される軸心方向のスリット２１ａを形成し、固定ブッシュ２１の鍔部２１ｃ側の外径を中心方向に弾力的に縮小可能に構成したことを特徴としている。
【発明の効果】
【００１４】
以上のように構成される本発明は以下のような効果を奏する。
（１）バレルと共に回転するリード線支持部の内周と、リード線に外装嵌合してリード線と共に回転規制される固定ブッシュの外周との嵌合面の円形の境界部は、固定ブッシュの外周方向（径方向）に突出する鍔部によってカバーされているので、ワークが撹拌されているバレル内には露出しない。このためワークの接触による境界部の摩耗や損傷及びワークの挟み込みや入り込みも防止できる。
【００１５】
（２）上記境界部は径方向に厚みを有して突出する鍔部に覆われているので、多少の隙間やクリアランスがあっても又回転による摩耗が殆んどなく、仮に磨耗により隙間が拡大してもワークと接触することはなく、リード線支持部内径や固定ブッシュの加工精度の管理も容易であるほか、固定ブッシュの交換頻度も少なくて済む利点がある。また鍔部の背面とリード線支持部の端面との間には殆んど荷重がかからないので、固定ブッシュの寿命に影響を及ぼすことはない。
【００１６】
（３）軸支部に固定軸と回転軸を嵌合させて設けることにより、回転軸の材質を適切に選択することにより、回転軸側に直接固定ブッシュを回転可能に嵌合することによって回転ブッシュを省略することもでき、回転ブッシュを介在させることにより、回転ブッシュのみの材料選択で足りるほか、回転ブッシュ自体を交換する構成にできる。
【００１７】
（４）固定ブッシュは鍔部のほかにその周面に係合部として凹凸を設け（その場合はこれと係合する凹凸を回転ブッシュの内周に形成すればよい）、又は鍔部の反対側の端部に外周に突出する突起を設けて実施例に示すようにリード線支持部の内側の内端に係合させることができる。この構造により位置決め部の加工精度の管理も緩やかなものにできる。また固定ブッシュの鍔部と反対側の周壁に端部が開放されたスリットを設けることにより、固定ブッシュの組立を容易にし且つ交換可能にすることができる。
【図面の簡単な説明】
【００１８】
【図１】本発明を適用する回転バレルの支持構造を示す全体正面図である。
【図２】（Ａ），（Ｂ）はそれぞれバレルの回転入力側と他方の支持側の軸支部の要部を示す拡大断面図である。
【図３】軸支部内の回転ブッシュと固定ブッシュの構造と組立状態を示す拡大断面図である。
【図４】リード線の構造を示す拡大断面図である。
【発明を実施するための形態】
【００１９】
図面は本発明の１実施例を示すもので、図１はバレル１の全体構造を示す正面図である。この例ではワークを通さない網目のメッシュ状の篭状周壁２と端板３を備えており、左右で平行に連結された縦方向のフレーム４に所定の傾斜角を有して回転自在に軸支されている。６はフレーム４の連結杆であり、バレル１は左右のフレーム４に対して軸支部７を介して軸支されている。
【００２０】
各軸支部７は中空部８（図２参照）に、図４に示すようなカソード電極９のリード線１１を回転規制状態で挿通して支持しており、電極９はバレル１内の略中央部の中心付近で左右から向き合うように支持されている。回転入力側の軸支部７には回転駆動用のギヤ１２が取付けられ、入力側フレームに軸支された中継ギヤ１３を介して回転入力される。中継ギヤ１３は図示しないモーター等の原動機から回転入力を受けている。
【００２１】
図２の（Ａ）はバレル１の回転入力側の軸支部７を、（Ｂ）は他方の側の軸支部７の機構をそれぞれ示しており、次に述べる固定軸１４がギヤ１２を軸装する部分の長さが異なる以外は左右の機構は共通である。
【００２２】
軸支部７はフレーム４の外側からスリーブ状の固定軸１４が挿入されてボルト１６により取付けられ、その内向きの先端にはバレル１と一体的に回転するハウジング状の回転軸１７が回転可能に嵌合されている。上記回転軸１７の外側端部外周にはバレル１の傾斜角に対応すべく内端面が軸心に対して傾斜している傾斜カラー１８が嵌合され、上記内端面に沿ってバレル１の端板３が取付けられるとともに、傾斜カラー１８の外端面にはバレル回転駆動用のギヤ１２がバレル１側に固定されて固定軸１４まわりに取付けられている。
【００２３】
上記回転軸１７，傾斜カラー１８，ギヤ１２は共に固定軸１４に対してバレル１と共に一体回転し、バレル１が図１に示すように回転軸心に対して傾斜しているためバレル１は左右端が交互に逆方向に偏心回転し、内部に収容されたワークは回転と左右での昇降作動による揺動を受け、液面Ｌ．Ｌ下のメッキ液中で撹拌されて均一なメッキが行われる。
【００２４】
軸支部７の中空部８内には既述のようにリード線１１がフレーム４の外側からバレル１の内部に向って挿通されるが、回転軸１７の先端（バレル側端部）はバレル１内に臨んでおり、その先端内側の内周面とリード線１１の外周との間には、回転軸１７側に嵌合固定される回転ブッシュ１９と、リード線１１外周に嵌合固定される固定ブッシュ２１とが相対回転可能に嵌合されている。この例では互に一体回転する回転軸１７と回転ブッシュ１９はリード線支持部２２を構成しており、リード線１１はその外周に固定的に嵌合された固定ブッシュ２１を介して支持され、これより内側の部分は電極９を先端に支持しながらバレル１内に下向きに折り曲げられて臨んでいる。また回転ブッシュ１９と固定ブッシュ２１間のクリアランス（公差）は固定軸１４と回転軸１７間のそれより大きくとることが望ましい。
【００２５】
図３は上記回転ブッシュ１９と固定ブッシュ２１自体の構造と組立て構造を示す断面図で、このうち回転ブッシュ１９は、例えばポリアセタール（ＰＯＭ）等の摩擦係数が低い低摩擦で耐摩耗性を備え且つ自己潤滑性を備えた樹脂からなり、固定ブッシュ２１は汎用樹脂である例えばポリプロピレン製のものが用いられる。このため後述するように弾力性のあるリード線１１の絶縁被膜層２８に弾力的に密着嵌合された固定ブッシュ２１が、リード線１１に対して固定性が高く、且つ両者の嵌合面間にはクリアランスはなく、ワークの挟み込みも生じない。同時に回転ブッシュ１９との関係では回転ブッシュ１９が低摩擦材であるためスムースな回転が確保される。そして固定ブッシュ１９が耐摩耗材なので摩耗による交換は概ね固定ブッシュ２１のみで足りる。
【００２６】
上記回転ブッシュ１９は図２に示すように回転軸１７内に嵌合された時、両者の嵌合面に形成されたリング状の凹凸からなる係合部２３が係合し合って軸線方向に位置決め固定される。そして回転ブッシュ１９の回転軸側の端部周壁には端部が開放された複数本（図示する例では４本）のスリット１９ａが形成され、この部分の周壁は内側に弾力的に押圧することにより径が縮小され、係合部２３が係合することによって嵌合状態になる。
【００２７】
一方固定ブッシュ２１にも同様な複数本（図示する例では２本）のスリット２１ａが形成されていて挿入嵌合時には、挿入端外周に突出形成したリング状の突起２１ｂが外周からの弾力的な押圧（図３の矢印参照）により外径を縮小され回転ブッシュ１９内に挿入される。この時固定リング２１が最深部まで挿入されると突起２１ａが回転ブッシュ１９の内周から外れてブッシュの端部径が復元し、突起２１ｂが回転ブッシュ１９の内部端面に係合する状態になる。上記突起２１ｂは必ずしもリング状突起である必要はなく、お互いの嵌合面に凹凸を形成して回転軸１７と回転ブッシュ１９との場合と同様に嵌合時に係合し合う構造のものでも良い。
【００２８】
また固定ブッシュ２１のバレル１側端部には、外周方向にリング状に突出する鍔部２１ｃが突設され、上記突起２１ｂと共に回転ブッシュ１９の両端側に係合して回転ブッシュ１９に対する位置決め部材となる。この時回転ブッシュ１９の全長に対して突起２１ｂと鍔部２１ｃ間の間隔を僅かに（例えば０．１５ｍｍ程度）のクリアランスを設け、嵌合時の上記係合を容易にするとともに加工誤差の許容度を大きくしている。
【００２９】
そして上記鍔部２１ｃは固定ブッシュ２１の外周より突出しているため、バレル１内に露出する固定ブッシュ２１と回転ブッシュ１９の嵌合境界部２０を覆う構造となる。その結果バレル１の回転中にその内部で撹拌されるワークは、上記嵌合面の境界部２０に接触することなく、当該接触による嵌合面の境界部２０の損傷や摩耗による隙間の拡大が防止され、この隙間へのワークの挟み込み等も防止される。尚、上記鍔部２１ｃは回転ブッシュ１９のバレル側端部に近接又は接触していればよいので、厳密に固定ブッシュ２１のバレル側の端部に設置される必要はない。また、鍔部２１ｃの外周断面はその外周にワークが乗らないように軸心側に向って傾斜面を形成している。
【００３０】
図４はカソード電極９とリード線１１の構造例を示す拡大断面図で、中心部の導電材である心線２４に対し、その基端部側には電源への接続端子用の金具２６が固着され、先端側にはハンダ付されたボルト２７を介して電極９がねじ込み固定されている。
【００３１】
そして電極９と端子金具２６との間の外周にはウレタン樹脂又はシリコン樹脂等からなる一定の弾力性，可撓性を備えた絶縁被覆層２８が装着されるとともに、該被覆層２８の先端部と電極９の基端部周面には、メッキ液が被覆層２８内に浸入するのを防止するために熱収縮樹脂製のシール用チューブ２９が装着されている。
【００３２】
前記固定ブッシュ２１は上記弾力性を備えた被覆層２８の外周に嵌合されるため、嵌合時の摩擦力と回転ブッシュ１９の低摩擦性により回転ブッシュ２１が回転しても常にリード線１１側に固定された状態を保っている。
【符号の説明】
【００３３】
１      バレル
４      フレーム
７      軸支部
８      中空部
９      電極
１１    リード線
１２，１３    ギヤ
１４    固定軸
１７    回転軸
１９    回転ブッシュ（リード線支持部）
２０    境界部
２１    固定ブッシュ
２１ａ  スリット
２１ｂ  突起（係合部）
２１ｃ  鍔部
２２    リード線支持部
２３    係合部
２４    心線
２８    被膜層
【図１】
2015183272.tif 000003
【図２】
2015183272.tif 000004
【図３】
2015183272.tif 000005
【図４】
2015183272.tif 000006